(57)【要約】【課題】簡素な構成によって収容空間への虫や異物の侵入を規制できる基板用コネクタユニットを提供する。【解決手段】基板用コネクタユニット１は、相手方コネクタに接続される第一端子部４１と、基板に固定される第二端子部４２と、を有し、第一端子部と第二端子部との間がＬ字状に屈曲している端子４と、相手方コネクタが挿入される筒部２２と、筒部の一端を閉塞しており、第一端子部を保持する保持壁２１と、を有し、端子を介して基板１０に固定されるハウジング２と、ハウジングと嵌合し、基板および第二端子部を収容するカバー３と、を備え、保持壁には、筒部の軸方向Ｘに沿って保持壁を貫通する貫通孔２５が形成されており、カバーは、カバーがハウジングと嵌合した状態で貫通孔を閉塞するリブ３２を有する。【選択図】図１０
2022002181.tif 000002
【特許請求の範囲】
【請求項１】
相手方コネクタに接続される第一端子部と、基板に固定される第二端子部と、を有し、前記第一端子部と前記第二端子部との間がＬ字状に屈曲している端子と、
前記相手方コネクタが挿入される筒部と、前記筒部の一端を閉塞しており、前記第一端子部を保持する保持壁と、を有し、前記端子を介して前記基板に固定されるハウジングと、
前記ハウジングと嵌合し、前記基板および前記第二端子部を収容するカバーと、
を備え、
前記保持壁には、前記筒部の軸方向に沿って前記保持壁を貫通する貫通孔が形成されており、
前記カバーは、前記カバーが前記ハウジングと嵌合した状態で前記貫通孔を閉塞するリブを有する
ことを特徴とする基板用コネクタユニット。
【請求項２】
前記リブは、前記軸方向に沿って前記貫通孔に挿入されて前記貫通孔を閉塞する
請求項１に記載の基板用コネクタユニット。
【請求項３】
前記保持壁は、前記相手方コネクタと対向する対向面を有し、
前記カバーは、前記ハウジングと嵌合した状態で前記リブの先端面が前記対向面と同一面上に位置するように構成されている
請求項２に記載の基板用コネクタユニット。
【請求項４】
前記ハウジングは、複数の前記筒部を有し、
前記保持壁は、一つの前記筒部に対して少なくとも一つの前記貫通孔を有し、
前記カバーは、一つの前記貫通孔に対して一つの前記リブを有する
請求項１から３の何れか１項に記載の基板用コネクタユニット。
【請求項５】
前記カバーは、防湿剤が塗布された前記基板を収容する
請求項１から４の何れか１項に記載の基板用コネクタユニット。
【請求項６】
前記筒部において、前記相手方コネクタが挿入される開口部は、前記相手方コネクタを係止する爪部を有し、
前記爪部は、前記筒部の内壁面から突出しており、
前記貫通孔は、前記爪部を形成する金型の抜き穴であり、前記軸方向において前記爪部と対向している
請求項１から５の何れか１項に記載の基板用コネクタユニット。
【発明の詳細な説明】
【技術分野】
【０００１】
本発明は、基板用コネクタユニットに関する。
【背景技術】
【０００２】
従来、虫等の侵入を防ぐ屋外筐体の通気構造がある。特許文献１には、全周に凸形状のリブを具備し、筐体底面に防虫シートにより保護された通気孔を有し、その筐体全体の上下、側面、前面をおおう外カバーにより構成される屋外筐体の通気構造が開示されている。特許文献１の屋外筐体の通気構造は、あらゆる方向からの雨等による水の進入を防止し、虫等の侵入を防ぎ、気温の変化による筐体内部の気圧変動の発生に強い、とされている。
【先行技術文献】
【特許文献】
【０００３】
【特許文献１】特開平１１−２８５０３４号公報
【発明の概要】
【発明が解決しようとする課題】
【０００４】
基板用コネクタユニットにおいて、簡素な構成によって収容空間への虫や異物の侵入を規制できることが望まれている。
【０００５】
本発明の目的は、簡素な構成によって収容空間への虫や異物の侵入を規制できる基板用コネクタユニットを提供することである。
【課題を解決するための手段】
【０００６】
本発明の基板用コネクタユニットは、相手方コネクタに接続される第一端子部と、基板に固定される第二端子部と、を有し、前記第一端子部と前記第二端子部との間がＬ字状に屈曲している端子と、前記相手方コネクタが挿入される筒部と、前記筒部の一端を閉塞しており、前記第一端子部を保持する保持壁と、を有し、前記端子を介して前記基板に固定されるハウジングと、前記ハウジングと嵌合し、前記基板および前記第二端子部を収容するカバーと、を備え、前記保持壁には、前記筒部の軸方向に沿って前記保持壁を貫通する貫通孔が形成されており、前記カバーは、前記カバーが前記ハウジングと嵌合した状態で前記貫通孔を閉塞するリブを有することを特徴とする。
【発明の効果】
【０００７】
本発明に係る基板用コネクタユニットにおいて、ハウジングの保持壁には、筒部の軸方向に沿って保持壁を貫通する貫通孔が形成されている。カバーは、貫通孔を閉塞するリブを有する。本発明に係る基板用コネクタユニットによれば、リブによって貫通孔を閉塞することで、簡素な構成によって収容空間への虫や異物の侵入を規制できるという効果を奏する。
【図面の簡単な説明】
【０００８】
【図１】図１は、実施形態に係る基板用コネクタユニットおよび相手方コネクタを示す斜視図である。
【図２】図２は、実施形態に係る基板用コネクタユニットの分解斜視図である。
【図３】図３は、実施形態に係るハウジングの正面図である。
【図４】図４は、実施形態に係るハウジングの断面図である。
【図５】図５は、実施形態に係るハウジングの断面図である。
【図６】図６は、実施形態に係るハウジングの斜視図である。
【図７】図７は、実施形態に係るカバーの断面図である。
【図８】図８は、実施形態に係るカバーの断面図である。
【図９】図９は、実施形態に係る基板用コネクタユニットの断面図である。
【図１０】図１０は、実施形態に係る基板用コネクタユニットの断面図である。
【図１１】図１１は、相手方コネクタの斜視図である。
【図１２】図１２は、相手方コネクタと嵌合した状態の基板用コネクタユニットの断面図である。
【図１３】図１３は、実施形態の変形例に係る基板用コネクタユニットの断面図である。
【発明を実施するための形態】
【０００９】
以下に、本発明の実施形態に係る基板用コネクタユニットにつき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１０】
［実施形態］
図１から図１２を参照して、実施形態について説明する。本実施形態は、基板用コネクタユニットに関する。図１は、実施形態に係る基板用コネクタユニットおよび相手方コネクタを示す斜視図、図２は、実施形態に係る基板用コネクタユニットの分解斜視図、図３は、実施形態に係るハウジングの正面図、図４は、実施形態に係るハウジングの断面図、図５は、実施形態に係るハウジングの断面図、図６は、実施形態に係るハウジングの斜視図、図７は、実施形態に係るカバーの断面図、図８は、実施形態に係るカバーの断面図、図９は、実施形態に係る基板用コネクタユニットの断面図、図１０は、実施形態に係る基板用コネクタユニットの断面図である。
【００１１】
図１１は、相手方コネクタの斜視図、図１２は、相手方コネクタと嵌合した状態の基板用コネクタユニットの断面図である。図４には、図３のIV−IV断面が示されている。なお、図７および図９の断面位置は、図４の断面位置と同じである。図５には、図３のV−V断面が示されている。図８および図１０の断面位置は、図５の断面位置と同じである。
【００１２】
図１および図２に示すように、本実施形態に係る基板用コネクタユニット１は、ハウジング２と、カバー３と、端子４と、を有する。基板用コネクタユニット１は、例えば、自動車等の車両に搭載される。基板用コネクタユニット１は、例えば、車両のエンジンコンパートメントに配置される。
【００１３】
ハウジング２は、端子４を保持するコネクタハウジングであり、端子４を介して基板１０に対して固定される。図３から図５に示すように、ハウジング２は、本体２０と、保持壁２１と、筒部２２と、仕切壁２３と、を有する。本体２０、保持壁２１、筒部２２、および仕切壁２３は、例えば、絶縁性の合成樹脂によって一体成型されている。
【００１４】
本体２０は、カバー３と嵌合する嵌合部である。本体２０の形状は、略矩形の枠形状である。筒部２２の形状は、相手方コネクタ１００と嵌合可能な筒形状である。例示された筒部２２の形状は、角筒形状である。以下の説明では、筒部２２の軸方向を単に「軸方向Ｘ」と称する。相手方コネクタ１００は、軸方向Ｘに沿ってハウジング２に嵌合する。また、カバー３は、軸方向Ｘに沿ってハウジング２に嵌合する。ハウジング２に対する相手方コネクタ１００の嵌合方向Ｘ１（図１）と、ハウジング２に対するカバー３の嵌合方向Ｘ２（図２）とは逆方向である。
【００１５】
例示されたハウジング２は、筒部２２として、第一筒部２２Ａ、第二筒部２２Ｂ、および第三筒部２２Ｃを有する。三つの筒部２２Ａ，２２Ｂ，２２Ｃは、本体２０の内方に位置している。第一筒部２２Ａ、第二筒部２２Ｂ、および第三筒部２２Ｃは、本体２０の長手方向Ｙに沿って一列に並んでいる。なお、以下の説明において、第一筒部２２Ａ、第二筒部２２Ｂ、および第三筒部２２Ｃを特に区別しない場合には単に「筒部２２」と記載する。
【００１６】
保持壁２１は、筒部２２の一端を閉塞している。例示されたハウジング２では、一つの保持壁２１が第一筒部２２Ａ、第二筒部２２Ｂ、および第三筒部２２Ｃを閉塞している。例示された保持壁２１の形状は、長方形である。保持壁２１は、端子４を保持する複数の保持孔２１ａを有する。保持孔２１ａは、軸方向Ｘに沿って保持壁２１を貫通している。保持壁２１は、第一筒部２２Ａ、第二筒部２２Ｂ、および第三筒部２２Ｃのそれぞれに対して複数の保持孔２１ａを有している。
【００１７】
図３から図５に示すように、筒部２２は、相手方コネクタ１００を係止する爪部２４を有する。第一筒部２２Ａは、爪部２４として、第一爪部２４Ａを有する。第二筒部２２Ｂは、爪部２４として、第二爪部２４Ｂを有する。第三筒部２２Ｃは、爪部２４として、第三爪部２４Ｃを有する。
【００１８】
図４には、第一筒部２２Ａの断面が示されている。図４に示すように、第一爪部２４Ａは、第一筒部２２Ａにおける開口部２２ｗに設けられている。開口部２２ｗは、相手方コネクタ１００が挿入される挿入口である。第一爪部２４Ａは、第一筒部２２Ａが有する四つの側壁のうち、長手方向Ｙに沿って延在する第一側壁２２ｆに設けられている。第一爪部２４Ａは、第一側壁２２ｆの内壁面２２ｇから突出している。
【００１９】
図５には、第二筒部２２Ｂの断面が示されている。図５に示すように、第二爪部２４Ｂは、第二筒部２２Ｂにおける開口部２２ｘに設けられている。開口部２２ｘは、相手方コネクタ１００が挿入される挿入口である。第二爪部２４Ｂは、第二筒部２２Ｂが有する四つの側壁のうち、長手方向Ｙに沿って延在する第一側壁２２ｈに設けられている。第二爪部２４Ｂは、第一側壁２２ｈの内壁面２２ｉから突出している。
【００２０】
第三筒部２２Ｃの構成は、第一筒部２２Ａの構成と同様である。すなわち、第三爪部２４Ｃは、第三筒部２２Ｃにおける開口部に設けられている。図３に示すように、第三爪部２４Ｃは、第三筒部２２Ｃが有する四つの側壁のうち、長手方向Ｙに沿って延在する第一側壁２２ｊに設けられている。第三爪部２４Ｃは、第一側壁２２ｊの内壁面から突出している。
【００２１】
仕切壁２３は、本体２０と筒部２２とをつなぐ壁部である。図４および図５に示すように、仕切壁２３は、軸方向Ｘと直交する壁部であり、筒部２２の外側の面と本体２０とをつないでいる。仕切壁２３は、筒部２２よりも外側の空間部を第一空間部２６ａと第二空間部２６ｂとに仕切る。第一空間部２６ａは、仕切壁２３に対して軸方向Ｘの一方側に位置する空間部である。第一空間部２６ａは、仕切壁２３に対して保持壁２１の側に位置する空間部である。つまり、第一空間部２６ａは、ハウジング２に対してカバー３が嵌合したときに基板１０を収容する収容空間の一部となる。第二空間部２６ｂは、仕切壁２３に対して軸方向Ｘの他方側に位置する空間部である。
【００２２】
図２等に示すように、保持壁２１は、軸方向Ｘに沿って保持壁２１を貫通する貫通孔２５を有する。より詳しくは、保持壁２１は、貫通孔２５として、第一貫通孔２５Ａ、第二貫通孔２５Ｂ、および第三貫通孔２５Ｃを有する。第一貫通孔２５Ａは、第一筒部２２Ａに対応する貫通孔２５である。図４に示すように、第一貫通孔２５Ａは、第一筒部２２Ａの内部空間に向けて開口している。第一貫通孔２５Ａは、第一側壁２２ｆの内壁面２２ｇに沿って形成されている。第一貫通孔２５Ａは、第一爪部２４Ａを形成する金型の抜き穴である。第一貫通孔２５Ａは、軸方向Ｘにおいて第一爪部２４Ａと対向している。
【００２３】
第二貫通孔２５Ｂは、第二筒部２２Ｂに対応する貫通孔２５である。図５に示すように、第二貫通孔２５Ｂは、第二筒部２２Ｂの内部空間に向けて開口している。第二貫通孔２５Ｂは、第一側壁２２ｈの内壁面２２ｉに沿って形成されている。第二貫通孔２５Ｂは、第二爪部２４Ｂを形成する金型の抜き穴である。第二貫通孔２５Ｂは、軸方向Ｘにおいて第二爪部２４Ｂと対向している。
【００２４】
第三貫通孔２５Ｃは、第三筒部２２Ｃに対応する貫通孔２５である。第三貫通孔２５Ｃの構成は、第一貫通孔２５Ａの構成と同様である。すなわち、第三貫通孔２５Ｃは、第三筒部２２Ｃの内部空間に向けて開口している。第三貫通孔２５Ｃは、第一側壁２２ｊの内壁面に沿って形成されている。第三貫通孔２５Ｃは、第三爪部２４Ｃを形成する金型の抜き穴である。第三貫通孔２５Ｃは、軸方向Ｘにおいて第三爪部２４Ｃと対向している。
【００２５】
図２等に示すように、本実施形態の端子４は、オス端子であり、第一端子部４１、第二端子部４２、および屈曲部４３を有する。第一端子部４１、第二端子部４２、および屈曲部４３は、導電性を有する金属板から形成されている。第一端子部４１および第二端子部４２は、それぞれ直線状に形成されている。屈曲部４３は、第一端子部４１と第二端子部４２との間に位置しており、Ｌ字状に屈曲している。屈曲部４３は、例えば、直角に曲がっている。
【００２６】
第一端子部４１は、図１に示す相手方コネクタ１００に接続される端子部である。より詳しくは、第一端子部４１は、相手方コネクタ１００のコネクタハウジング１０１によって保持されているメス端子に接続される。第一端子部４１は、ハウジング２の保持孔２１ａに対して圧入される。第一端子部４１は、第一端子部４１の先端部が筒部２２の内部空間に突出する状態でハウジング２によって保持される。
【００２７】
第二端子部４２は、基板１０に固定される端子部である。図２に示すように、第二端子部４２は、基板１０の貫通孔１１に挿通される。第二端子部４２は、はんだ等によって基板１０に固定され、かつ基板１０の回路に電気的に接続される。
【００２８】
カバー３は、ハウジング２と嵌合し、ハウジング２と協働して収容空間３８を形成する。この収容空間３８には、基板１０、および端子４の第二端子部４２が収容される。図２および図６に例示されたカバー３は、角筒形状の側壁３０と、底壁３１と、リブ３２と、を有する。側壁３０、底壁３１、およびリブ３２は、例えば、絶縁性の合成樹脂で一体に成型される。
【００２９】
カバー３の形状は、ハウジング２と嵌合して閉空間を形成する形状である。例示された側壁３０の断面形状は、長方形であり、ハウジング２の本体２０の形状と対応している。側壁３０は、第一側壁３０ａ、第二側壁３０ｂ、第三側壁３０ｃ、および第四側壁３０ｄを有する。第一側壁３０ａおよび第二側壁３０ｂは、長手方向Ｙに延在している。第三側壁３０ｃおよび第四側壁３０ｄは、長手方向Ｙにおいて互いに対向している。
【００３０】
第一側壁３０ａおよび第二側壁３０ｂには、爪部３３が設けられている。爪部３３は、カバー３がハウジング２と嵌合したときにハウジング２の本体２０によって係止される。第三側壁３０ｃおよび第四側壁３０ｄには、ガイド溝３４が設けられている。ガイド溝３４は、基板１０を案内するための溝であり、軸方向Ｘに沿って延在している。
【００３１】
リブ３２は、ハウジング２の貫通孔２５を閉塞するように構成されている。リブ３２は、第一側壁３０ａの内壁面３０ｅから突出している。リブ３２は、第一リブ３２Ａ、第二リブ３２Ｂ、および第三リブ３２Ｃを有する。第一リブ３２Ａは、第一貫通孔２５Ａを閉塞するリブ３２である。第二リブ３２Ｂは、第二貫通孔２５Ｂを閉塞するリブ３２である。第三リブ３２Ｃは、第三貫通孔２５Ｃを閉塞するリブ３２である。
【００３２】
図７には、第一リブ３２Ａの断面が示されている。第一リブ３２Ａは、基部３５ａおよび閉塞部３５ｂを有する。基部３５ａおよび閉塞部３５ｂは、一体である。基部３５ａは、内壁面３０ｅから第二側壁３０ｂに向けて突出している。閉塞部３５ｂは、基部３５ａの先端から軸方向Ｘに向けて突出している。より詳しくは、閉塞部３５ｂは、側壁３０の開口部３０ｆに向けて突出している。閉塞部３５ｂの先端には、呼び込みのためのテーパ部３５ｃが形成されている。
【００３３】
図８には、第二リブ３２Ｂの断面が示されている。第二リブ３２Ｂは、基部３６ａおよび閉塞部３６ｂを有する。基部３６ａおよび閉塞部３６ｂは、一体である。基部３６ａは、内壁面３０ｅから第二側壁３０ｂに向けて突出している。閉塞部３６ｂは、基部３６ａの先端から開口部３０ｆに向けて突出している。閉塞部３６ｂの先端には、呼び込みのためのテーパ部３６ｃが形成されている。
【００３４】
第三リブ３２Ｃの構成は、第一リブ３２Ａの構成と同様である。図６に示すように、第三リブ３２Ｃは、基部３５ａと同様の基部３７ａ、および閉塞部３５ｂと同様の閉塞部３７ｂを有している。
【００３５】
図２に示すように、基板１０に対してハウジング２および端子４が固定される。例えば、ハウジング２の各保持孔２１ａに対して端子４の第一端子部４１が圧入され、その後に端子４の第二端子部４２が基板１０に対して固定される。基板１０は、ねじ等の締結部材１３によってハウジング２に対して固定される。基板１０には、電子部品１２が実装されている。また、基板１０には、防湿剤が塗布される。防湿剤は、電子部品１２、基板１０の回路、端子４等を覆って水分等に対して保護する。
【００３６】
基板１０に対して防湿剤が塗布された後に、カバー３がハウジング２に対して取り付けられる。図２に示すように、カバー３は、嵌合方向Ｘ２に沿ってスライドしながらハウジング２に嵌合する。
【００３７】
図９には、カバー３がハウジング２に対して嵌合した嵌合状態の断面が示されている。カバー３の爪部３３は、ハウジング２の本体２０によって係止される。本体２０は、爪部３３を係止するフランジ部を有している。本体２０は、カバー３の内壁面に接触してカバー３の開口部３０ｆを閉塞する。基板１０および第二端子部４２は、ハウジング２およびカバー３によって形成される収容空間３８に収容される。
【００３８】
図９に示すように、第一リブ３２Ａの閉塞部３５ｂは、ハウジング２の第一貫通孔２５Ａを閉塞する。より詳しくは、閉塞部３５ｂは、第一貫通孔２５Ａに挿入されて第一貫通孔２５Ａに嵌合する。第一リブ３２Ａは、閉塞部３５ｂの側面と第一貫通孔２５Ａの壁面との隙間が十分に小さくなるように形成されている。例えば、第一リブ３２Ａは、アリなどの虫が通過できないように第一貫通孔２５Ａを閉塞する。よって、第一リブ３２Ａは、収容空間３８への虫や異物の侵入を規制することができる。
【００３９】
図９に示すように、カバー３がハウジング２と嵌合した状態で、第一リブ３２Ａの先端面３５ｄは、保持壁２１の対向面２２ｋと同一面上に位置する。対向面２２ｋは、保持壁２１の面であって、軸方向Ｘにおいて相手方コネクタ１００と対向する面である。カバー３がこのように構成されていることで、第一リブ３２Ａが相手方コネクタ１００と干渉してしまうことが抑制される。
【００４０】
図１０には、第二リブ３２Ｂが第二貫通孔２５Ｂを閉塞した状態が示されている。第二リブ３２Ｂの閉塞部３６ｂは、第二貫通孔２５Ｂに挿入されて第二貫通孔２５Ｂに嵌合する。第二リブ３２Ｂは、閉塞部３６ｂの側面と第二貫通孔２５Ｂの壁面との隙間が十分に小さくなるように形成されている。例示された第二リブ３２Ｂは、アリなどの虫が通過できないように第二貫通孔２５Ｂを閉塞する。よって、第二リブ３２Ｂは、収容空間３８への虫や異物の侵入を規制することができる。カバー３がハウジング２と嵌合した状態で、第二リブ３２Ｂの先端面３６ｄは、保持壁２１の対向面２２ｍと同一面上に位置する。
【００４１】
第三リブ３２Ｃは、第三貫通孔２５Ｃを閉塞する。第三リブ３２Ｃの閉塞部３７ｂは、第三貫通孔２５Ｃに挿入されて第三貫通孔２５Ｃに嵌合する。第三リブ３２Ｃは、第一リブ３２Ａが第一貫通孔２５Ａを閉塞するのと同様に、第三貫通孔２５Ｃを閉塞する。よって、第三リブ３２Ｃは、収容空間３８への虫や異物の侵入を規制することができる。第三リブ３２Ｃは、カバー３がハウジング２と嵌合した状態で、第三リブ３２Ｃの先端面が保持壁２１の対向面と同一面上に位置するように構成されている。
【００４２】
図１１には、相手方コネクタ１００の一例が示されている。相手方コネクタ１００のコネクタハウジング１０１は、ハウジング本体１０２およびアーム１０３を有する。ハウジング本体１０２およびアーム１０３は、ハウジング２の筒部２２に嵌合する部分である。ハウジング本体１０２は、複数のキャビティ１０２ａを有する。各キャビティ１０２ａには、相手方端子が保持される。相手方端子は、例えば、筒形状のメス端子である。
【００４３】
アーム１０３は、ハウジング本体１０２の先端部につながっている。ハウジング本体１０２の先端部は、筒部２２に対して相手方コネクタ１００が挿入されるときの挿入方向の先端部である。アーム１０３の基端は、ハウジング本体１０２の側面につながっている。アーム１０３は、ハウジング本体１０２の後端へ向けて軸方向Ｘに沿って延在している。アーム１０３は、可撓性を有しており、ハウジング本体１０２に対して揺動可能である。アーム１０３の先端部には、ハウジング２によって係止される突起１０４が設けられている。突起１０４は、アーム１０３の外側面から突出している。つまり、突起１０４は、ハウジング本体１０２の側とは反対側へ向けて突出している。
【００４４】
相手方コネクタ１００が筒部２２に挿入されると、端子４の第一端子部４１がキャビティ１０２ａに入り込み、相手方端子と接続される。このときに、相手方コネクタ１００は、アーム１０３を撓み変形させながら筒部２２と嵌合する。アーム１０３の突起１０４は、ハウジング２の爪部２４によって係止される。
【００４５】
図１２には、第一筒部２２Ａに嵌合した相手方コネクタ１００が示されている。第一爪部２４Ａは、軸方向Ｘにおいて突起１０４と対向して突起１０４を係止する。図１２に示すように、相手方コネクタ１００は、第一筒部２２Ａを閉塞する。つまり、相手方コネクタ１００は、第一筒部２２Ａの内部への虫や異物の侵入を規制する。言い換えると、相手方コネクタ１００が第一筒部２２Ａに嵌合した状態では、相手方コネクタ１００および第一リブ３２Ａによって、収容空間３８への虫や異物の侵入が規制される。相手方コネクタ１００は、第二筒部２２Ｂおよび第三筒部２２Ｃに対して同様に嵌合し、虫や異物の侵入を規制する。
【００４６】
上記のように、本実施形態に係る基板用コネクタユニット１は、相手方コネクタ１００と嵌合する前の状態で、収容空間３８への虫や異物の侵入を規制することができる。つまり、相手方コネクタ１００と嵌合する前の搬送時や保管時であっても虫や異物の侵入が規制される。また、本実施形態に係る基板用コネクタユニット１は、相手方コネクタ１００の個数の変化に柔軟に対応できる。例えば、第一筒部２２Ａおよび第三筒部２２Ｃには相手方コネクタ１００が嵌合し、第二筒部２２Ｂには相手方コネクタ１００が嵌合しないような使用形態も可能である。この場合であっても、第二貫通孔２５Ｂが第二リブ３２Ｂによって閉塞されているため、収容空間３８へ虫や異物が侵入しにくい。
【００４７】
実施形態で例示された基板用コネクタユニット１の場合、相手方コネクタ１００の個数が一つから三つまで、同じハウジング２およびカバー３によって対応できる。
【００４８】
以上説明したように、本実施形態の基板用コネクタユニット１は、端子４と、ハウジング２と、カバー３と、を有する。端子４は、相手方コネクタ１００に接続される第一端子部４１と、基板１０に固定される第二端子部４２と、を有し、かつ第一端子部４１と第二端子部４２との間の屈曲部４３がＬ字状に屈曲している。ハウジング２は、筒部２２と、保持壁２１と、を有する。筒部２２には、相手方コネクタ１００が挿入される。保持壁２１は、筒部２２の一端を閉塞しており、第一端子部４１を保持する。ハウジング２は、端子４を介して基板１０に固定される。カバー３は、ハウジング２と嵌合し、基板１０および第二端子部４２を収容する。
【００４９】
保持壁２１には、筒部２２の軸方向Ｘに沿って保持壁２１を貫通する貫通孔２５が形成されている。カバー３は、カバー３がハウジング２と嵌合した状態で貫通孔２５を閉塞するリブ３２を有する。本実施形態の基板用コネクタユニット１は、リブ３２によって貫通孔２５を閉塞することで、簡素な構成によって、基板１０を収容する収容空間３８への虫や異物の侵入を規制することができる。
【００５０】
本実施形態のリブ３２は、軸方向Ｘに沿って貫通孔２５に挿入されて貫通孔２５を閉塞する。リブ３２と貫通孔２５との嵌合構造は、効果的に虫や異物の侵入を規制することができる。
【００５１】
本実施形態の保持壁２１は、相手方コネクタ１００と対向する対向面２２ｋ，２２ｍを有する。カバー３は、ハウジング２と嵌合した状態でリブ３２の先端面３５ｄ，３６ｄが対向面２２ｋ，２２ｍと同一面上に位置するように構成されている。よって、リブ３２と相手方コネクタ１００との干渉が抑制される。
【００５２】
本実施形態のハウジング２は、複数の筒部２２Ａ，２２Ｂ，２２Ｃを有する。保持壁２１は、一つの筒部２２に対して少なくとも一つの貫通孔２５を有する。カバー３は、一つの貫通孔２５に対して一つのリブ３２を有する。つまり、カバー３は、保持壁２１が有する貫通孔２５の全てをリブ３２によって閉塞することができる。
【００５３】
本実施形態のカバー３は、防湿剤が塗布された基板１０を収容する。防湿剤には、虫を誘引する匂いを発するものがある。このような防湿剤が塗布された基板１０をカバー３に収容する場合に、リブ３２が貫通孔２５を閉塞し、収容空間３８への虫の侵入を抑制することができる。
【００５４】
本実施形態の筒部２２において、相手方コネクタ１００が挿入される開口部３０ｆは、相手方コネクタ１００を係止する爪部２４を有する。爪部２４は、筒部２２の内壁面２２ｇ，２２ｉから突出している。貫通孔２５は、爪部２４を形成する金型の抜き穴であり、軸方向Ｘにおいて爪部２４と対向している。金型の抜き穴が生じないように爪部２４を形成しようとすると、ハウジング２の製造コストが高価となりやすい。本実施形態の基板用コネクタユニット１は、製造コストの増加を抑制しつつ収容空間３８への虫や異物の侵入を抑制することができる。
【００５５】
［実施形態の変形例］
実施形態の変形例について説明する。リブ３２の形状およびリブ３２が貫通孔２５を閉塞する態様は、例示された形状および態様には限定されない。例えば、リブ３２は、貫通孔２５における軸方向Ｘの中間部まで挿入されてもよい。言い換えると、カバー３がハウジング２に嵌合した状態において、リブ３２の先端面３５ｄ，３６ｄが貫通孔２５の中間部に位置していてもよい。
【００５６】
リブ３２は、保持壁２１に対して当接して貫通孔２５を閉塞してもよい。この場合、リブ３２の外径は、貫通孔２５の内径よりも大きいことが好ましい。リブ３２の閉塞部３５ｂ，３６ｂ，３７ｂは、貫通孔２５に挿入される挿入部と、保持壁２１に当接する当接部と、を有していてもよい。例えば、図１３に示すように、第二リブ３２Ｂの閉塞部３６ｂは、第二貫通孔２５Ｂに挿入される挿入部３６ｅと、保持壁２１に当接する当接部３６ｆと、を有していてもよい。挿入部３６ｅは、当接部３６ｆの先端面から軸方向Ｘに沿って突出している。挿入部３６ｅは、第二貫通孔２５Ｂに嵌合して第二貫通孔２５Ｂを閉塞する。当接部３６ｆの外径は、第二貫通孔２５Ｂの内径よりも大きい。当接部３６ｆは、保持壁２１に当接して第二貫通孔２５Ｂの開口部を閉塞する。図１３に示すリブ３２によれば、収容空間３８への虫や異物の侵入をより確実に抑制することができる。
【００５７】
上記の実施形態および変形例に開示された内容は、適宜組み合わせて実行することができる。
【符号の説明】
【００５８】
１  基板用コネクタユニット
２  ハウジング
３  カバー
４  端子
１０  基板
１１：貫通孔、  １２：電子部品、  １３：締結部材
２０：本体、  ２１：保持壁、  ２２：筒部
２２Ａ：第一筒部、  ２２Ｂ：第二筒部、  ２２Ｃ：第三筒部
２２ｆ，２２ｈ，２２ｊ：側壁、  ２２ｇ、２２ｉ：内壁面
２２ｋ，２２ｍ：対向面
２２ｗ，２２ｘ：開口部、  ２３：仕切壁、  ２４：爪部
２４Ａ：第一爪部、２４Ｂ：第二爪部、  ２４Ｃ：第三爪部、  ２５：貫通孔
２５Ａ：第一貫通孔、  ２５Ｂ：第二貫通孔、  ２５Ｃ：第三貫通孔
２６ａ：第一空間部、  ２６ｂ：第二空間部
３０  側壁、
３０ａ：第一側壁、  ３０ｂ：第二側壁、  ３０ｃ：第三側壁、  ３０ｄ：第四側壁
３０ｅ：内壁面、  ３０ｆ：開口部
３１：底壁、  ３２：リブ
３２Ａ：第一リブ、  ３２Ｂ：第二リブ、  ３２Ｃ：第三リブ
３３：爪部、  ３４：ガイド溝
３５ａ，３６ａ，３７ａ：基部、  ３５ｂ，３６ｂ，３７ｂ：閉塞部
３５ｄ，３６ｄ：先端面、  ３８：収容空間
４１：第一端子部、  ４２：第二端子部、  ４３：屈曲部
１００  相手方コネクタ
１０１：コネクタハウジング、  １０２：ハウジング本体、  １０２ａ：キャビティ
１０３：アーム、  １０４：突起
【図１】
2022002181.tif 000003
【図２】
2022002181.tif 000004
【図３】
2022002181.tif 000005
【図４】
2022002181.tif 000006
【図５】
2022002181.tif 000007
【図６】
2022002181.tif 000008
【図７】
2022002181.tif 000009
【図８】
2022002181.tif 000010
【図９】
2022002181.tif 000011
【図１０】
2022002181.tif 000012
【図１１】
2022002181.tif 000013
【図１２】
2022002181.tif 000014
【図１３】
2022002181.tif 000015